(57)【要約】【課題】  光源ユニットを確実に保持できるとともに気密性を向上できる光源ユニット用カバーを提供する。【解決手段】  光源ユニット用カバー２において、光源ユニット１０を収容するための長手方向に延びる内部空間２０ｓを有するカバー本体２０と、カバー本体２０の内部空間２０ｓの端部開口を閉塞するエンドキャップ（閉塞部材）２５とを設ける。カバー本体２０の内部空間２０ｓを画成する内周面２０ｃを扁平な横断面形状にするとともに、内周面２０ｃの内側面（側部）２０ｃ３を、光源ユニット１０の突出部（側部）１３ｐを保持し得る凹状曲面にする。【選択図】  図４
2016126851.tif 000002
【特許請求の範囲】
【請求項１】
光源ユニット用カバーであって、
光源ユニットを収容するための長手方向に延びる内部空間を有するカバー本体と、
前記カバー本体の前記内部空間の端部開口を閉塞する閉塞部材とを備え、
前記カバー本体の前記内部空間を画成する内周面が扁平な横断面形状を有するとともに、前記内周面の側部が、光源ユニットの側部を保持し得る凹状曲面を有している、
ことを特徴とする光源ユニット用カバー。
【請求項２】
請求項１において、
前記カバー本体が、前記内部空間に収容される光源ユニットを挟んで光源と逆の側に配置された平坦状の取付面を有している、
ことを特徴とする光源ユニット用カバー。
【請求項３】
請求項１または２において、
前記カバー本体が、前記内部空間に収容される光源ユニットを挟んで光源の側に配置された光照射面を有している、
ことを特徴とする光源ユニット用カバー。
【請求項４】
請求項２において、
前記カバー本体が、前記取付面から短手方向に張り出す張出部を有している、
ことを特徴とする光源ユニット用カバー。
【請求項５】
カバー付き光源ユニットであって、
光源ユニットと、
前記光源ユニットを収容するカバーとを備え、
前記カバーが、
長手方向に延びる内部空間を有し、前記内部空間を画成する内周面が扁平な横断面形状を有するとともに、前記内周面の側部が前記光源ユニットの側部を保持する凹状曲面を有しているカバー本体と、
前記カバー本体の前記内部空間の端部開口を閉塞する閉塞部材とを有している、
ことを特徴とするカバー付き光源ユニット。
【発明の詳細な説明】
【技術分野】
【０００１】
本発明は、光源ユニットのためのカバーまたは当該カバーを備えた光源ユニットに関する。
【背景技術】
【０００２】
カバー付き光源ユニットとして、たとえば特開２０１２−１５０１２号公報に示すようなＬＥＤ照明装置が提案されている。この照明装置は、長手方向に延びる筒状の照明管と、照明管の両端部に設けられた口金部と、照明管の内部に収容され、複数のＬＥＤ発光素子が搭載された、長手方向に延びる基板とを有しており、基板の端部は係止部を介して口金部に係止されている（同公報の段落［００２３］〜［００２６］および図１〜図３参照）。
【０００３】
ところで、ＬＥＤ照明装置が適用されるアプリケーションによっては、長尺のＬＥＤ照明装置が必要とされる場合もあり、その場合には、たとえば、複数の基板を長手方向に連結しつつ、基板全体を照明管で覆うことが行われている。
【発明の概要】
【発明が解決しようとする課題】
【０００４】
しかしながら、このような長尺のＬＥＤ照明装置においては、長手方向の両端に配置された基板の端部のみが口金部に係止されており、長手方向の中央側に配置された基板は、口金部には連結されておらず、その各端部は、長手方向のいずれかの端に配置された基板の端部に連結されているだけである。また、照明管の内部において、各基板の両側面と照明管の内周面との間には、一定の隙間が形成されている（上述した公報の図３参照）。
【０００５】
そのため、前記従来の構造では、たとえば、電車等の車両の照明装置として用いられた場合に、車両の走行中に発生する振動によって、長尺の基板が照明管の内部で振動し、その結果、照明装置としての信頼性の低下や異音の発生等を招くおそれがある。
【０００６】
その一方、ＬＥＤ発光素子の中には、出射光の反射率を上げるために銀の薄膜からなる反射面を有しているものがあるが、そのようなＬＥＤ発光素子においては、使用中に空気中の硫化水素と銀が反応して反射面が変色し、その結果、反射率が低下して光束が低下する場合があることが分かってきた。
【０００７】
ところが、前記従来の構造においては、照明管の内部の気密性を重視した構造にはなっていなかった。
【０００８】
本発明は、このような従来の実情に鑑みてなされたものであり、本発明が解決しようとする課題は、光源ユニットを確実に保持できるとともに、気密性を向上できる光源ユニット用カバーを提供することにある。また、本発明は、光源ユニットを確実に保持できるとともに、気密性を向上できるカバーを備えたカバー付き光源ユニットを提供しようとしている。
【課題を解決するための手段】
【０００９】
本発明の第１の発明に係る光源ユニット用カバーは、光源ユニットを収容するための長手方向に延びる内部空間を有するカバー本体と、カバー本体の内部空間の端部開口を閉塞する閉塞部材とを備え、カバー本体の内部空間を画成する内周面が扁平な横断面形状を有するとともに、内周面の側部が光源ユニットの側部を保持し得る凹状曲面を有している（請求項１参照）。
【００１０】
本発明の第１の発明においては、光源ユニットをカバー本体の内部空間に収容した際には、内部空間を画成する内周面が扁平な横断面形状を有しかつ内周面の側部が光源ユニットの側部を保持し得る凹状曲面を有していることにより、光源ユニットが薄肉の部材であっても、光源ユニットの側部をカバー本体の内部空間の内周面の側部における凹状曲面上で光源ユニットの幅に応じた所定位置に位置決めすることができる。これにより、光源ユニットをカバー本体の内部空間の内周面で確実に保持できるようになる。その結果、光源ユニットが長手方向に長く延設されている場合でも、光源ユニットをカバー本体に対して固定できるので、振動に強い光源ユニット用カバーを実現できる。
【００１１】
しかも、本発明では、カバー本体の内部空間の内周面の側部が光源ユニットの側部に当接するように設けられるので、カバー本体の内部空間の内周面の両側部間の幅寸法（つまり端部開口幅）を小さくすることができ、またカバー本体の内部空間の端部開口が扁平な横断面形状を有しているので、内部空間の端部開口高さを小さくすることができ、これにより、端部開口を小さくして内部空間の気密性の低下を防止できる。さらに、本発明では、カバー本体の内部空間の扁平な端部開口が閉塞部材により閉塞されているので、カバー本体の内部空間の気密性を向上できる。また、本発明では、カバー本体の内周面が扁平な横断面形状を有していることで、カバー全体を薄型化できる。
【００１２】
本発明では、カバー本体が、内部空間に収容される光源ユニットを挟んで光源と逆の側に配置された平坦状の取付面を有している（請求項２参照）。
【００１３】
本発明では、カバー本体が、内部空間に収容される光源ユニットを挟んで光源の側に配置された光照射面を有している（請求項３参照）。
【００１４】
本発明では、カバー本体が、取付面から短手方向に張り出す張出部を有している（請求項４参照）。
【００１５】
本発明の第２の発明に係るカバー付き光源ユニットは、光源ユニットと、光源ユニットを収容するカバーとを備えている。カバーは、長手方向に延びる内部空間を有しかつ当該内部空間を画成する内周面が扁平な横断面形状を有するとともに、内周面の側部が光源ユニットの側部を保持する凹状曲面を有しているカバー本体と、カバー本体の内部空間の端部開口を閉塞する閉塞部材とを有している（請求項５参照）。
【００１６】
本発明の第２の発明においては、光源ユニットをカバー本体の内部空間に収容した際には、内部空間を画成する内周面が扁平な横断面形状を有しかつ内周面の側部が光源ユニットの側部を保持する凹状曲面を有していることにより、光源ユニットが薄肉の部材であっても、光源ユニットの側部をカバー本体の内部空間の内周面の側部における凹状曲面上で光源ユニットの幅に応じた所定位置に位置決めすることができる。これにより、光源ユニットをカバー本体の内部空間の内周面で確実に保持できるようになる。その結果、光源ユニットが長手方向に長く延設されている場合でも、光源ユニットをカバー本体に対して固定できるので、振動に強いカバー付き光源ユニットを実現できる。
【００１７】
しかも、本発明では、カバー本体の内部空間の内周面の側部が光源ユニットの側部に当接するように設けられるので、カバー本体の内部空間の内周面の両側部間の幅寸法（つまり端部開口幅）を小さくすることができ、またカバー本体の内部空間の端部開口が扁平な横断面形状を有しているので、内部空間の端部開口高さを小さくすることができ、これにより、端部開口を小さくして内部空間の気密性の低下を防止できる。さらに、本発明では、カバー本体の内部空間の扁平な端部開口が閉塞部材により閉塞されているので、カバー本体の内部空間つまりカバー付き光源ユニット内部の気密性を向上できる。また、本発明では、カバー本体の内周面が扁平な横断面形状を有していることで、カバー全体ひいてはカバー付き光源ユニット全体を薄型化できる。
【発明の効果】
【００１８】
以上のように、本発明によれば、カバー本体の内部空間を画成する内周面が扁平な横断面形状を有しかつ内周面の側部が光源ユニットの側部を保持し得る凹状曲面を有するようにしたので、光源ユニットをカバー本体の内部空間に収容した際には、光源ユニットが薄肉の部材であっても、光源ユニットの側部をカバー本体の内部空間の内周面の側部における凹状曲面上で光源ユニットの幅に応じた所定位置に位置決めすることができ、これにより、光源ユニットをカバー本体の内部空間の内周面で確実に保持できる効果がある。その結果、光源ユニットが長手方向に長く延設されている場合でも、光源ユニットをカバー本体に対して固定できるので、耐振動性を向上できる。
【００１９】
しかも、本発明では、カバー本体の内部空間の内周面の側部が光源ユニットの側部に当接するように設けられるので、カバー本体の内部空間の内周面の両側部間の幅寸法（つまり端部開口幅）を小さくすることができ、またカバー本体の内部空間の端部開口が扁平な横断面形状を有しているので、内部空間の端部開口高さを小さくすることができ、これにより、端部開口を小さくして内部空間の気密性の低下を防止できる。さらに、本発明では、カバー本体の内部空間の扁平な端部開口が閉塞部材により閉塞されているので、カバー本体の内部空間の気密性を向上できる効果がある。
【図面の簡単な説明】
【００２０】
【図１】本発明の一実施例によるカバー付き光源ユニットの全体斜視図である。
【図２】前記カバー付き光源ユニット（図１）の分解組立図である。
【図３】図２の一端側拡大図である。
【図４】前記カバー付き光源ユニット（図１）の横断面図である。
【図５】前記カバー付き光源ユニット（図１）のエンドキャップ（閉塞部材）の斜視拡大図である。
【図６】前記エンドキャップ（図５）の平面図である。
【図７】前記エンドキャップ（図５）が前記カバー付き光源ユニット（図１）のカバー本体の端部開口に装着された状態を示す縦断面部分図である。
【図８】前記カバー付き光源ユニット（図１）が設置面に設置された状態を示す横断面図である。
【発明を実施するための形態】
【００２１】
以下、本発明の実施例を添付図面に基づいて説明する。
図１ないし図８は、本発明の一実施例によるカバー付き光源ユニットを説明するための図である。ここでは、光源ユニットとして、ＬＥＤ光源ユニットを例にとる。
【００２２】
図１に示すように、カバー付き光源ユニット１は、後述する光源ユニットを収容するカバー２を有している。カバー２は、扁平な筒状に延びかつ透光性を有するまたは透明なカバー本体２０と、その端部開口を閉塞する弾性部材製のエンドキャップ（閉塞部材）２５とを有している。
【００２３】
図２および図３に示すように、光源ユニット１０は、多数のＬＥＤ発光素子（光源）１０Ｌが搭載された基板キット１１と、基板キット１１の裏面側に配設された放熱シート１２と、放熱シート１２の裏面側に配設されたベース１３とから構成されており、基板キット１１および放熱シート１２は、取付ねじ１５によってベース１３上に固定されるようになっている。ベース１３は長手方向に延設された部材であって、たとえば、アルミニウムの押出成形により成形されている。基板キット１１は、複数（ここでは４枚）の基板キット１１Ａ、１１Ｂ、１１Ｃ、１１Ｄを長手方向に連設して構成されており、長手方向に隣り合う各基板キットは、コネクタ１６を介して互いに連結されている。また、長手方向の両端の各基板キット１１Ａ、１１Ｄには、電源ケーブル１７の一端がコネクタを介して連結される。
【００２４】
カバー本体２０は、図２および図３に示すように、長手方向に延びる扁平な内部空間２０ｓを有しており、当該内部空間２０ｓ内に光源ユニット１０が収容されるようになっている。エンドキャップ２５は、カバー本体２０の内部空間２０ｓの端部開口を閉塞する部材である。また、カバー本体２０は、短手方向に張り出す張出部２０ｆを有している。張出部２０ｆには、取付ねじ２１が挿入される複数の取付孔２０ｆ１が形成されている。カバー本体２０は、たとえば、樹脂の押出成形により成形されており、これにより、長手方向に延設された長尺のものが容易に成形できる。
【００２５】
カバー本体２０は、図４に示すように、扁平な横断面形状を有する薄肉の筒状部材であって、内部空間２０ｓを画成する内周面２０ｃが扁平な横断面形状を有している。なお、図４では、図示の便宜上、カバー本体２０の短手方向を同図の上下方向に配置した状態で示している。内周面２０ｃは、内部空間２０ｓに収容された光源ユニット１０を挟んでＬＥＤ発光素子１０Ｌの側に配置され、ＬＥＤ発光素子１０Ｌから出射された光が入射する凹曲面状の光入射面２０ｃ１と、光源ユニット１０を挟んでＬＥＤ発光素子１０Ｌと逆の側（つまりベース１３側）に配置された平坦状のベース面２０ｃ２と、光源ユニット１０のベース１３の両側方への各突出部（各側部）１３ｐに各々相対するとともに、突出部１３ｐの凸曲面状の突出面１３ｐ１にそれぞれ当接することによりベース１３を保持する凹曲面状の一対の内側面（側部）２０ｃ３とを有しており、各内側面２０ｃ３と光入射面２０ｃ１およびベース面２０ｃ２との間に形成される内周面２０ｃは、単一または複数の円弧状面で構成されている。
【００２６】
内周面２０ｃは、全周にわたって滑らかに接続された曲面および直線で構成されている。これにより、ＬＥＤ発光素子１０Ｌからの出射光がカバー本体２０を透過する際に、干渉縞が生じたりすることなく、ムラのない透過光を得ることができる。ここで、「滑らかに」とは、内周面２０ｃ上に急峻な突起や段差、凹みがなく、さらにアールのない角部や隅部等がない状態を指しており、数学的には、曲線上の任意の点で微分可能な連続曲線で形成されていることを意味している。
【００２７】
カバー本体２０は、図４に示すように、略均一な肉厚を有している。カバー本体２０の外周面は、内周面２０ｃの光入射面２０ｃ１と相対する位置に配置され、光入射面２０ｃ１に入射した光が出射する凸曲面状の光照射面２０ｄ１と、内周面２０ｃのベース面２０ｃ２と相対する位置に配置され、カバー付き光源ユニット１の設置面と当接する平坦状の取付面２０ｄ２と、内周面２０ｃの内側面２０ｃ３と相対する位置に配置された凸曲面状の外側面２０ｄ３とを有している。カバー本体２０の張出部２０ｆは、取付面２０ｄ２から両側方に張り出している。なお、ここでは、光照射面２０ｄ１が凸曲面状のものを示しているが、光照射面２０ｄ１は、平坦面を少なくとも一部に含むものであってもよい。
【００２８】
図５ないし図７に示すように、エンドキャップ２５は、カバー本体２０の内周面２０ｃ内に挿入される挿入部２５Ａと、挿入部２５Ａの基端につば状に張り出して設けられ、挿入部２５Ａの内周面２０ｃへの挿入時にカバー本体２０の開口端面の外側に配置されるつば部２５Ｂと、挿入部２５Ａの先端寄りの位置に設けられ、挿入部２５Ａの内周面２０ｃへの挿入時に内周面２０ｃの全周にわたって弾接するように、挿入部２５Ａよりもわずかに大形に形成されたシール部２５Ｃとを有している。シール部２５Ｃの外周面は、全周にわたって滑らかな曲線および直線で構成されている。
【００２９】
エンドキャップ２５の挿入部２５Ａの外周面には、当該外周面から外方にわずかに膨出する複数の膨出部２５Ｐ１および２５Ｐ２が形成されている。膨出部２５Ｐ１は、つば部２５Ｂとシール部２５Ｃの間の領域に設けられ、膨出部２５Ｐ２は、挿入部２５Ａの先端に設けられている。
【００３０】
エンドキャップ２５のつば部２５Ｂには、左右一対のねじ挿入孔２５ｂおよびリード線挿入孔２５ｗが形成されている。ねじ挿入孔２５ｂは、エンドキャップ２５を光源ユニット１０のベース１３に固定するための取付ねじ２６およびスペーサ２７（図３）を挿入するためのものである。ねじ挿入孔２５ｂに挿入された取付ねじ２６は、ベース１３の取付孔１３ｈ（図４）にねじ止めされるようになっている。このとき、ねじ挿入孔２５ｂの開口端縁部は取付ねじ２６の頭部座面でシールされている。なお、ねじ挿入孔２５ｂの開口端縁部の周囲に小突起を設け、取付ねじ２６の締付時に当該小突起を取付ねじ２６の頭部座面で弾性圧縮変形させることにより、ねじ挿入孔２５ｂの開口端縁部のシール性を向上させるようにしてもよい。リード線挿入孔２５ｗは、電源ケーブル１７内のリード線１８（図３）を挿入するためのものである。リード線１８の挿入時には、リード線挿入孔２５ｗの内周面に設けられた小径のシール部（図示せず）により、リード線挿入孔２５ｗの内周面がシールされる。また、エンドキャップ２５のつば部２５Ｂには、複数の凹部（肉ヌスミ）２５ｈが形成されている。
【００３１】
エンドキャップ２５をカバー本体２０の端部開口に装着したとき、図７に示すように、エンドキャップ２５のつば部２５Ｂとカバー本体２０の端面との間には、一定の隙間ｅが形成されるようになっている。この隙間ｅにより、カバー付き光源ユニット１の発熱時や高温時における熱膨張や低温時における熱収縮によって、光源ユニット１０および（または）カバー本体２０が相互に熱変形した際に、当該熱変形による長手方向の相互移動を吸収できる。また、光源ユニット１０および（または）カバー本体２０が長手方向に熱変形する際には、エンドキャップ２５の挿入部２５Ａに設けられたシール部２５Ｃが、カバー本体２０の内周面２０ｃに弾接した状態で長手方向に移動するので、エンドキャップ２５によるシール効果を維持できる。
【００３２】
上述したカバー付き光源ユニット１を組み立てる際には、まず、光源ユニット１０の組立てを行う。この場合には、多数のＬＥＤ発光素子１０Ｌがそれぞれ搭載された複数の基板キット１１（１１Ａ、１１Ｂ、１１Ｃ、１１Ｄ）を長手方向に連設して、隣り合う各基板キット１１をコネクタ１６を介して連結することで各基板キット１１を電気的に接続する。次に、連結された基板キット１１を放熱シート１２を介してベース１３の上に配設し、基板キット１１および放熱シート１２を取付ねじ１５によりベース１３上に固定する。これにより、光源ユニット１０が一体化される。
【００３３】
次に、光源ユニット１０をカバー本体２０の一方の端部開口から内部空間２０ｓに挿入する。光源ユニット１０が内部空間２０ｓに挿入された後、長手方向両端の各基板キット１１Ａ、１１Ｄに電源ケーブル１７の一端をコネクタを介して連結する。その連結の際には、予め電源ケーブル１７内のリード線１８をエンドキャップ２５のリード線挿入孔２５ｗに挿通させておく。次に、カバー本体２０の端部開口にエンドキャップ２５を挿入する。この状態から、エンドキャップ２５のねじ挿入孔２５ｂにスペーサ２７とともに取付ねじ２６を挿入して取付ねじ２６を締め付けることにより、エンドキャップ２５が光源ユニット１０のベース１３の取付孔１３ｈにねじ止め固定される。
このようにして、カバー付き光源ユニット１が組み立てられる。
【００３４】
このような本実施例によれば、カバー付き光源ユニット１の組立後には、光源ユニット１０がカバー本体２０の内部空間２０ｓに収容された状態で、光源ユニット１０のベース１３における各突出部１３ｐの各突出面１３ｐ１が、カバー本体２０の内部空間２０ｓの内周面２０ｃにおける各内側面２０ｃ３にそれぞれ当接している。これにより、取付金具等の別個の部材を必要とすることなく、簡単な構造により低コストで、ベース１３をカバー本体２０の内部空間２０ｓで保持できる。その結果、ベース１３を介して光源ユニット１０をカバー本体２０の内部空間２０ｓで保持できるようになる。
【００３５】
しかも、本実施例では、カバー本体２０の内部空間２０ｓを画成する内周面２０ｃが扁平な横断面形状を有するとともに、内周面２０ｃの各内側面２０ｃ３が光源ユニット１０の側部を保持し得る凹状曲面を有していることにより、光源ユニット１０が薄肉の部材であっても、光源ユニット１０の側部をカバー本体２０の内周面２０ｃの凹曲面状の各内側面２０ｃ３上で光源ユニット１０の幅に応じた所定位置に位置決めすることができ、これにより、光源ユニット１０をカバー本体２０の内部空間２０ｓの内周面２０ｃで確実に保持できる。その結果、光源ユニット１０が長手方向に長く延設されている場合でも、光源ユニット１０をカバー本体２０に対して固定できるので、振動に強いカバー付き光源ユニットを実現できる。
【００３６】
ここで、内周面２０ｃの各内側面２０ｃ３が本実施例のような凹状曲面ではなく、ベース面２０ｃ２と直交する方向に延びる平坦面から構成されている場合には、光源ユニット１０のベース１３の突出部１３ｐが当該平坦面に沿って移動し得るため、ベース１３の位置が定まらず、ベース１３を内側面２０ｃ３上で位置決めすることができなくなる。また、内周面２０ｃの横断面形状が円形の場合には、光源ユニット１０のベース１３の突出部１３ｐが当該円形の円周に沿って移動し得るため、同様に、ベース１３の位置が定まらず、ベース１３を内周面２０ｃ上で位置決めすることができなくなる。
【００３７】
さらに、本実施例によれば、カバー本体２０の内部空間２０ｓの内周面２０ｃの内側面２０ｃ３が光源ユニット１０の側部に当接するように設けられることで、カバー本体２０の内部空間２０ｓの内周面２０ｃの各内側面２０ｃ３間の幅寸法（つまり端部開口幅）を小さくすることができ、またカバー本体２０の内部空間２０ｓの端部開口が扁平な横断面形状を有していることで、内部空間２０ｓの端部開口高さを小さくすることができ、これにより、端部開口を小さくして内部空間２０ｓの気密性の低下を防止できる。しかも、カバー本体２０の内部空間２０ｓの扁平な端部開口がエンドキャップ２５により閉塞され、内部空間２０ｓの内周面２０ｃが全周にわたって滑らかな曲面および直線で構成されるとともに、エンドキャップ２５のシール部２５Ｃの外周面が全周にわたって当該内周面２０ｃに沿う滑らかな曲面および直線で構成されているので、エンドキャップ２５のシール部２５Ｃと内部空間２０ｓの内周面２０ｃとの間に隙間が形成されることはなく、カバー本体２０の内部空間２０ｓの気密性を向上できる。なお、カバー本体２０の内周面２０ｃ上に光源ユニット固定用のリブを長手方向に延設すれば光源ユニット１０を固定することができるが、この場合、リブによってエンドキャップ２５による気密性が確保できなくなる恐れがある。
【００３８】
また、カバー本体２０の内周面２０ｃが扁平な横断面形状を有していることで、カバー全体を薄型化できる。さらに、カバー本体２０に張出部２０ｆが設けられることで、別個の取付金具等を用意することなく、張出部２０ｆを用いてカバー本体２０を設置面に取り付けることができる。
【００３９】
ここで、カバー付き光源ユニット１の設置レイアウトの一例を図８に示す。ここでは、電車の車内照明装置に適用された例を示している。同図中、上側が車両の天井側を示し、下側が車両の車内側を示している。
【００４０】
図８に示すように、カバー付き光源ユニット１は、下方に開口するケース１００内に収容されており、ケース１００の上側パネル１００ａに取付ねじ２１によりねじ止め固定されている。このとき、カバー本体２０の平坦状の取付面２０ｄ２は、上側パネル１００ａの設置面に当接している。ケース１００の開口部は、開口窓部１０１ａを有するカバー１０１により下方から覆われている。ケース１００の開口部とカバー１０１の開口窓部１０１ａとの間には、ガラス製または樹脂製のプレート１０２が介装されている。カバー付き光源ユニット１のＬＥＤ発光素子１０Ｌから出射された光は、カバー本体２０の光照射面２０ｄ１（図４）を透過するとともに、プレート１０２を透過して車内に照射される。
【００４１】
このレイアウトでは、カバー付き光源ユニット１が、取付ねじ２１によりケース１００の上側パネル１００ａにねじ止め固定されるとともに、カバー本体２０の平坦状の取付面２０ｄ２が上側パネル１００ａの設置面に当接しているので、カバー本体２０と設置面との間で振動が発生しにくい構造になっている。また、取付ねじ２１が、カバー本体２０の長手方向に延びる張出部２０ｆに沿って配設されるので、取付ねじ２１の本数を増やすことでカバー本体２０を設置面により強固に固定できるようになる。なお、光源ユニット１０のベース１３がカバー本体２０の内部で振動を起こしにくい構造になっている点は、上述したとおりである。
【００４２】
〔第１の変形例〕
前記実施例では、カバー本体２０の内周面２０ｃが、凹曲面状の光入射面２０ｃ１と、平坦状のベース面２０ｃ２と、凹曲面状の一対の内側面２０ｃ３とを有している例を示したが、本発明の適用はこれに限定されない。平坦状のベース面２０ｃ２のかわりに凹曲面状のベース面を用いるようにしてもよい。また、内周面２０ｃの形状としては、卵形や長円形、楕円形等を含む広義のオーバル形状でもよく、その他の形状でもよい。
【００４３】
〔第２の変形例〕
前記実施例および前記第１の変形例では、カバー本体２０の内周面２０ｃが、いずれも閉曲線から構成された例を示したが、本発明は、内周面２０ｃが閉曲線でないものにも適用可能である。たとえば、内周面２０ｃのうちのベース面２０ｃ２の一部に、取付面２０ｄ２まで挿通しかつ長手方向に延びるスリットを形成するようにしてもよい。
【００４４】
この場合には、カバー付き光源ユニット１の組立時に、光源ユニット１０をカバー本体２０の内部空間２０ｓに挿入していく際に、光源ユニット１０のベース１３の突出部１３ｐが内周面２０ｃの内側面２０ｃ３と干渉したとき、ベース面２０ｃ２に形成されたスリットが口開きを起こすことで、光源ユニット１０のカバー本体２０への挿入が容易に行える。そして、光源ユニット１０がカバー本体２０に収容された後は、口開きを起こしていたスリットが元の形状に戻ることで、内周面２０ｃの内側面２０ｃ３が光源ユニット１０のベース１３の突出部１３ｐに弾接することになるので、光源ユニット１０に対するカバー本体２０の保持を確実に行える。なお、カバー本体２０に形成されたスリットは、カバー本体２０の設置時にカバー本体２０の取付面２０ｄ２が設置面により覆われることで外部に露出しないようにすることができ、これにより、カバー本体２０の気密性を維持できる。
【００４５】
〔第３の変形例〕
前記実施例では、図４に示すように、カバー付き光源ユニット１のある長手方向位置において、光源ユニット１０のベース１３の左右双方の突出部１３ｐの各突出面１３ｐ１が、カバー本体２０の内部空間２０ｓの内周面２０ｃにおける各内側面２０ｃ３でそれぞれ保持された例を示したが、本発明の適用はこれに限定されない。
【００４６】
たとえば、ある長手方向位置においては、光源ユニット１０のベース１３の一方の突出部１３ｐの突出面１３ｐ１のみが、カバー本体２０の内部空間２０ｓの内周面２０ｃにおける一方の内側面２０ｃ３に当接するとともに、前記長方向位置と異なる他の長手方向位置においては、ベース１３の他方の突出部１３ｐの突出面１３ｐ１のみが、カバー本体２０の内部空間２０ｓの内周面２０ｃにおける他方の内側面２０ｃ３に当接するようにしてもよい。
【００４７】
この場合においても、光源ユニット１０の側部をカバー本体２０の内部空間２０ｓの内周面２０ｃの内側面２０ｃ３で位置決めすることができ、光源ユニット１０をカバー本体２０の内部空間２０ｓの内周面２０ｃで確実に保持できる。これにより、光源ユニット１０が長手方向に長く延設されている場合でも、光源ユニット１０をカバー本体２０に対して固定できるので、振動に強いカバー付き光源ユニットを実現できる。
【００４８】
あるいは、長手方向の任意の位置において、光源ユニット１０のベース１３の一方の突出部１３ｐの突出面１３ｐ１のみが、カバー本体２０の内部空間２０ｓの内周面２０ｃにおける一方の内側面２０ｃ３に当接するようにしてもよい。この場合でも、振動の発生時には、一方向への振動を規制できるので、振動に対して一定の効果を期待できる。
【００４９】
〔第４の変形例〕
前記実施例では、カバー本体２０が略均一な肉厚を有している例を示したが、本発明の適用はこれに限定されない。カバー本体２０の肉厚を徐々に（つまり連続的にまたは段階的に）厚くまたは薄くするようにしてもよい。この場合には、カバー付き光源ユニット１の配光特性を変化させることができるようになる。
【００５０】
〔第５の変形例〕
前記実施例では、エンドキャップ２５全体が弾性部材から構成された例を示したが、本発明においては、エンドキャップ２５本体をたとえば樹脂または金属から構成するとともにシール部２５Ｃのみを弾性部材から構成するようにしてもよい。この場合、エンドキャップ２５においてシール部２５Ｃが設けられる領域にシール部２５Ｃの一部が嵌合する凹状溝部を形成するようにしてもよい。
【００５１】
〔第６の変形例〕
前記実施例では、エンドキャップ２５がカバー本体２０の両端部開口を閉塞する場合を例にとって説明したが、本発明の適用はこれに限定されない。カバー本体２０の一方の端部開口の閉塞部材はたとえば成形時に一体成形するようにして、他方の端部開口のみをエンドキャップ２５で閉塞するようにしてもよい。
【００５２】
〔第７の変形例〕
前記実施例では、ベース１３の突出部１３ｐの突出面１３ｐ１が凸状曲面を有している場合を例にとって示したが、本発明の適用はこれに限定されず、本発明は、突出面１３ｐ１が平坦状面の場合にも適用可能である。突出面１３ｐ１の形状は、カバー本体２０の内部空間２０ｓの内周面２０ｃにおける内側面２０ｃ３の曲率や、内部空間２０ｓ内でのベース１３の配置等に応じて、適宜設定される。
【００５３】
〔第８の変形例〕
前記実施例では、光源ユニット１０において、ベース１３を有するものを例にとって説明したが、ベース１３は省略することが可能である。この場合、光源ユニット１０をカバー本体２０に収容した際には、基板１１の両側部をカバー本体２０の内周面２０ｃの内側面２０ｃ３に当接させればよい。
【００５４】
〔第９の変形例〕
前記実施例で説明したカバー付き光源ユニット１の組立工程は、作業手順の一例を示すものであって、これに限定されるものではない。
【００５５】
〔その他の変形例〕
上述した実施例および各変形例はあらゆる点で本発明の単なる例示としてのみみなされるべきものであって、限定的なものではない。本発明が関連する分野の当業者は、本明細書中に明示の記載はなくても、上述の教示内容を考慮するとき、本発明の精神および本質的な特徴部分から外れることなく、本発明の原理を採用する種々の変形例やその他の実施例を構築し得る。
【００５６】
〔他の適用例〕
前記実施例および前記各変形例においては、光源ユニットとして、ＬＥＤ光源ユニットを例にとって説明したが、本発明の適用はこれに限定されるものではなく、本発明は、その他の光源ユニット、たとえば有機ＥＬ照明ユニットなどを含む面発光ユニットなどにも同様に適用可能である。
【産業上の利用可能性】
【００５７】
本発明は、光源ユニット用カバーに有用であり、とくに、長尺の光源ユニットを収容するものに適している。
【符号の説明】
【００５８】
１：  カバー付き光源ユニット
１０：  光源ユニット
１０Ｌ：  ＬＥＤ発光素子（光源）
１３ｐ：  突出部（側部）
２：  カバー
２０：  カバー本体
２０ｃ：  内周面
２０ｃ３：  内側面（側部）
２０ｄ１：  光照射面
２０ｄ２：  取付面
２０ｆ：  張出部
２０ｓ：  内部空間
２５：  エンドキャップ（閉塞部材）  
【先行技術文献】
【特許文献】
【００５９】
【特許文献１】特開２０１２−１５０１２号公報（同公報の段落［００２３］〜［００２６］および図１〜図３参照））
【図１】
2016126851.tif 000003
【図２】
2016126851.tif 000004
【図３】
2016126851.tif 000005
【図４】
2016126851.tif 000006
【図５】
2016126851.tif 000007
【図６】
2016126851.tif 000008
【図７】
2016126851.tif 000009
【図８】
2016126851.tif 000010